(57)【要約】【課題】釣り糸を切断することなく遊動式及び固定式として簡単迅速に釣具を着脱出来る、単純な構造で応用範囲の広い釣り糸用着脱式接続具と、それを備えてなる釣具を提供する。【解決手段】上記目的を達成するために、本考案に係わる釣り糸用着脱式接続具及びそれを備えてなる釣具では、内側に孔２を備えた部材からなり、内側の孔２の中に自身の一部先端４を差し込む単純な構造となっている。このとき折り曲げられた内側には釣り糸が挿通されるパイプ状の空間５を備えた接続構造を有する、釣り糸用着脱式接続具。パイプ状でありながら釣り糸が出入りすることができ、パイプの中に釣り糸が通ってしまえば外れない着脱式接続具となっている。【選択図】図１
0003147677.tif 000002
【実用新案登録請求の範囲】
【請求項１】
内側に孔を備えた部材からなり、内側の孔の中に自身の一部先端を差し込み、この時折り曲げられた内側に釣り糸が挿通される空間を備えた接続構造を有する、釣り糸用着脱式接続具。
【請求項２】
上記部材が板材からなる、請求項１に記載の釣り糸用着脱式接続具。
【請求項３】
上記部材がリング状からなる、請求項１に記載の釣り糸用着脱式接続具。
【請求項４】
請求項１に係る考案の接続具を備えてなる、環付浮き用着脱式ホルダー。
【請求項５】
請求項１に係る考案の接続構造を本体内部に備えてなる、着脱式浮き。
【請求項６】
請求項３に係る考案の接続具を本体外周部に備えてなる、着脱式浮き。
【請求項７】
請求項２に係る考案の接続具を本体内部に備えてなる、釣り糸用着脱式集魚板。
【請求項８】
請求項７に係る考案の着脱式集魚板に釣り針を備えてなる、釣り糸用着脱式釣り針付き集魚板。
【請求項９】
請求項１に係る考案の接続構造を備えてなる、着脱式天秤。
【請求項１０】
請求項２に係る考案の接続具を備えてなる、釣り糸用着脱式ケミホタル［登録商標］ホルダー。
【請求項１１】
請求項３に係る考案の接続具を備えてなる、着脱式ルアー。
【請求項１２】
請求項１に係る考案の接続構造を本体内部に備えてなる、着脱式ルアー。
【請求項１３】
請求項３に係る考案の接続具を備えてなる、着脱式錘。
【考案の詳細な説明】
【技術分野】
【０００１】
本考案は、釣具の釣り糸への着脱に関するものである。
【背景技術】
【０００２】
釣りには様々なジャンルがあり老若男女問わず多くの愛好家がいる。釣りの仕掛けにはたくさんのパーツがあり、それを組み合わせて自分なりの仕掛けを作るのも楽しみの一つである。
【０００３】
しかしながら、実釣において釣具を交換したり追加したりというのは面倒なことである、
なぜならば釣り糸を切断しなければならないからだ。釣りは屋外でするもので風の日もあれば雨の日もある、足元の悪い磯場であったり揺れる船の上であったり、ライトの明かりだけで手元の見えにくいこともある。切断した釣り糸は必ず結び直す必要があるのだ。たとえば、釣り糸にたった１つの浮きを付け加えたいだけでも釣り糸を切断して結び直さなければならないのである。
【０００４】
釣りの最中に糸を切断せずに何らかの釣具を着脱するものとして、一般に広く知られているスナップスイベルやインターロックと称される金属性の接続具がよく使われている。しかしこれらは仕掛けに使われている同様の金具に取り付けられるのが普通で、取り付けた場所に固定されたものであり取り付けるパーツも限られたものである。また、スナップスイベルやインターロックを使って釣具を取り付けた場合、同金具に釣り糸やハリスが絡んでしまうという問題があった。
【０００５】
釣り糸を切断せずに着脱出来る方法が無いわけではない。中通しタイプの浮きにおいては、特許文献１や特許文献２のようなものがあるが、中通しタイプの浮きに限定されたものである。
【０００６】
また特許文献３でも着脱を可能にしているが、本考案とは構造原理及びコンセプトの違うものである。
【０００７】
【特許文献１】特開２００５−１５１９７８号公報
【特許文献２】特開２００７−２８９０２号公報
【特許文献３】特開２０００−１５７１２４号公報
【０００８】
釣り糸を切断せず簡単迅速に着脱でき、釣り糸が挿通されれば外れない、釣り糸も絡みにくい構造で限られた釣具だけに限定されない接続構造は従来無かったのである。
【０００９】
環付浮き・ルアー・釣り用錘のように、接続部がリング状になっているものや、集魚板のように初めから仕掛けに組み込むかスナップスイベルなどの接続金具で取り付けるもの、ケミホタル［登録商標］のように取り付けるためのチューブや粘着テープやホルダーが付属しているが不便なもの、遊動式天秤のように初めから仕掛けとして作っておかなければならず、釣り糸を切断せずには着脱出来ないもの、スナップスイベルなどの接続金具を用いなければ着脱できないものなど、改良すべき点が多いのである。
【考案の開示】
【考案が解決しようとする課題】
【００１０】
釣りの最中にその場の状況や対象魚によって、また根がかりなど、釣り糸を切断して釣具の装着・取り外し・交換、というのはかなり頻繁にあるものであるが、ほとんどの釣具が釣り糸を切断しなければ着脱できない。釣り糸を切断せずに接続できるスナップスイベルなどの接続金具にしても、限られた釣具だけであったり、金具部分に釣り糸が絡んでしまうという問題があった。
【００１１】
また従来の浮きは、一部の着脱式の特許文献１や特許文献２のような中通しタイプの浮きを除き、環付き浮きはホルダーで付けるにしても釣り糸を切断せずに着脱が出来なかった。
【００１２】
中通しタイプ以外の一般的な浮きは、釣り糸が挿通される金属製のリングを備えているか、スナップスイベルなどの接続金具を介して、釣り糸が挿通されるためのビーズやスイベルのリング部などに釣り糸を切断して挿通させるしか方法が無いという問題があった。
【００１３】
実釣において、その場の状況（波・風・潮・時間帯）や対象魚によって浮きの浮力・タイプの変更をすることもあれば、電気浮きへの変更など、その都度釣り糸を切断して結び直すのは面倒な作業である。
【００１４】
仕掛けに取り付ける釣り小物に集魚板がある。仕掛けを作るときに使うものは集魚板自体に釣り糸を挿通させる孔が開いているが、仕掛けを作った後では釣り糸を切断しなければ着脱は出来ない。スナップスイベルなどの接続金具が付いているものは、後から着脱出来るもののあらかじめ仕掛けに結ばれている同様の金具部分に取り付けるのが普通で、釣り糸が絡みやすい問題があった。
【００１５】
天秤は大きく分けると固定式と遊動式がある。天秤は釣りの仕掛けにおいてもっとも要となる部分で、釣りの前夜に心躍らせて精を出すのもこの天秤の仕掛け作りである。
【００１６】
固定式天秤は通常、釣り糸・錘・仕掛け糸がスナップスイベルなどの接続金具で取り付けられる。接続金具は釣り糸が絡みやすいのだが、仕掛けを交換する際にスナップスイベルなどの接続金具が無ければ結び直さなければならないのである。
【００１７】
遊動式天秤は、上下にあるリングに釣り糸を挿通させるか、または天秤自体がパイプ状になっておりパイプ内に釣り糸が挿通されるようになっている。釣り糸を切断せずに天秤だけを交換することは不可能である。魚の食い付きが渋い時など、天秤の形状や色合いを変えようと思うと仕掛け全てを交換しなければならないという問題があった。
【００１８】
釣りの小物にケミホタル［登録商標］という化学発光体がある。大きさは数種類あるが、釣りに使うものは小さなカプセル状のものである。今や夕方から明け方までの釣りには無くてはならないアイテムだ。
【００１９】
竿先に着脱出来るものは発売されているが、竿先以上に釣り糸に使用する場合が多い。釣り糸用のケミホタル［登録商標］には、釣り糸に取り付けるためのビニールチューブ・粘着テープ・ハーフパイプ状の着脱具が付属している。チューブを釣り糸に着脱するには仕掛けを切断する必要があり、ライトの明かりで釣り糸を結び直さなければならず大変面倒である。付属の粘着テープをぐるぐると巻いてケミホタル［登録商標］を釣り糸に取り付けると、粘着テープであるから取り外すのもまた面倒である。ハーフパイプ状の着脱具はハーフパイプ状であるため、釣り糸を強く引っ張ると抜けてしまうという問題があった。
【００２０】
釣りのジャンルにルアーフィッシングという疑似餌を使った釣りがある。ここ数年で爆発的に人気が出てきている。ルアーの動きや匂い・味などで直接魚を誘うものである。
【００２１】
大きく分けてハードルアーとソフトルアーがある。イカ釣りに使う餌木などもハードルアーと言えるだろう。ルアーの先端には釣り糸を結ぶための金属製のリングが付いており、ルアーを交換する度に釣り糸を切断してリングに結び直す必要があった。しかしその場の状況でルアーを交換することはよくあることで、釣りの中断を余儀なくされていた。
【００２２】
釣り糸の先に大きなチチワ結びを作っておけば、釣り糸を切断せずに着脱は可能であるが、チチワ結びの中にルアー全体をくぐらせる必要があり、たくさん釣り針の付いたルアーでは現実的な方法では無く、ルアーの交換には問題があった。
【００２３】
釣り用の錘は大きく分けると、かみつぶしと云われる小さなものや中通し、最上部や両端に金属のリングが付いたものの３種類がある。リングの付いた錘は、通常釣り糸や天秤に取り付けられたスナップスイベルなどの接続金具で連結される。釣り糸を切断せずに、直接釣り糸に着脱出来るものはなかった。
【００２４】
以上のように釣り人は、付けたり外したり、切ったり結んだりと、貴重な時間を仕掛け作りに費やしているのだが、仕方がないこととしてあきらめているのかもしれない。しかし、こういった作業に時間を奪われなければ、もっと簡単であれば気楽に楽しめて釣果も変わってくるのは間違いないだろう。
【００２５】
釣り糸を切断せずに遊動式及び固定式として使え、一つの構造原理で簡単迅速に多様な釣具を着脱する方法は無かったのである。
【課題を解決するための手段】
【００２６】
上記目的を達成するために、本考案に係る釣り糸用着脱式接続具及びそれを備えてなる釣具では、内側に孔を備えた部材からなり、内側の孔の中に自身の一部先端を差し込む単純な構造となっている。
【００２７】
この時折り曲げられた内側には釣り糸が挿通されるパイプ状の空間を備えた接続構造を有する、釣り糸用着脱式接続具である。
【００２８】
孔に差し込まれた先端と孔周辺との間に釣り糸が出入りする余裕を残すことにより、パイプ状でありながら釣り糸が出入りできる余裕があり、パイプの中に釣り糸が通ってしまえば外れない構造となる。また、孔に差し込まれた先端と孔周辺とが接触していても、素材自体の弾性の利用、及び差し込み先端の厚みの調整などで弾性を持たせることにより、釣り糸をパイプ状空間に引き込むことで挿通させることが出来る。
【００２９】
パイプ状であるため基本的には遊動式であるが、接続金具の使用や釣り糸をチチワ結びにすることで固定式にすることも可能である。単純な形状で応用範囲が広く、釣り糸を切断することなく釣具の着脱が可能となる接続具である。
【００３０】
釣り糸が挿通される空間をパイプ状としているが、パイプ状の丸い空間で無くとも着脱は可能である、しかし釣り糸が挿通される部分であるため丸いパイプ状が好ましいと思われる。
【００３１】
部材が板状であれば内部に孔があいた一枚の板からなり、構造がきわめて単純で低コストで製作も容易である。板に接続固定された部位の先端を孔に差し込むことでも同じ構造を作ることは出来るが、一枚で作るほうが低コストであろう。部材がリング状の場合はリングの一部を自身の輪の中に差し込むというきわめて簡単なものなので、こちらも低コストで製作も容易だろう。リング状としているのは接続部の構造を示すもので、浮き・ルアー・天秤などに用いる場合、本体と連結する部位の形状はそれぞれ異なるであろう。部材が板材とリング状の２種類とも着脱の方法は全く同じであるが、単純な構造と２種類あることで利用範囲がさらに広くなるのである。
【００３２】
さて着脱式接続具の構造は以上であるが、それが何を解決できるのかである。まず、上記接続具をそのまま浮き・錘・ルアー・集魚板に備えるだけで着脱式となる。また、接続具にスナップを取り付けるだけで環付き浮きや集魚板を着脱出来るホルダーになる。
【００３３】
その他、天秤・ケミホタル［登録商標］ホルダーも着脱式接続具を備えることで釣り糸を切断せずに着脱出来るようになるのである。
【考案の効果】
【００３４】
以上のように本考案によれば、釣り糸を切断することなく遊動式及び固定式として簡単迅速な釣具の着脱が可能であり、単純な構造のため応用範囲も広い接続具と、それを備えてなる釣具である。
【考案を実施するための最良の形態】
【００３５】
以下、本考案の実施の形態について、図面を参照にして説明する。
【実施例１】
【００３６】
［図１］は請求項２に係る考案の、板材からなる釣り糸用着脱式接続具の立体図である。
［図２］は請求項３に係る考案の、リング状からなる釣り糸用着脱式接続具の立体図である。
板材ならびにリング状のどちらも、部材は違うが請求項１に係る考案の接続具と同じ構造である。
【００３７】
内側に備えた孔２に自身の一部先端４を差し込む時、折り曲げられた内側に釣り糸が挿通されるパイプ状空間５が出来る。差し込まれた先端４と孔周辺の間には、釣り糸が出入りする余裕が残してある。
【００３８】
着脱式接続具の釣り糸への着脱を、図で説明する。
［図３］a、b、cはaから順に、板材接続具の釣り糸への取り付け図である。
［図４］a、b、cはaから順に、リング状接続具の釣り糸の取り付け図である。
どちらも同じ構造であり、同じ動作となる。
【００３９】
取り付けは、つまんだ釣り糸７の輪になった先端部分８をパイプ状部の外側３に沿って孔２の中に差し込み、差し込み先端４を輪になった先端部分８にくぐらせ、釣り糸７をパイプ状の空間５に引き込む。
【００４０】
単純な動作のためここでは図面を省略するが、外す場合は逆の動作、つまんだ釣り糸７の輪になった先端部分８に差し込み先端４をくぐらせ、釣り糸７をパイプ状部の外側３に沿って孔２から引き抜く、と簡単な動作で迅速に着脱できる。
【００４１】
素材となるプラスチックや金属などは多少の弾性を備えていると思われる。差し込み先端の厚みを調整することで弾性を高めても良いだろう。素材の弾性を利用し挿通させる場合は差し込まれた先端と孔周辺の間の余裕は必ずしも必要とはならない。
【００４２】
［図５］a、b、cはaから順に、素材の弾性を利用した釣り糸への取り付け図である。
【００４３】
パイプ状空間５に釣り糸を引き込む時、差し込み先端４がパイプ状空間５の内側までしなることで釣り糸７を挿通することが出来る。
【００４４】
釣り人が意図的に釣り糸をつまんだ状態にしない限り、通常では外れることはなく、釣り人が意図的に釣り糸をつまんだ状態にして上記の作業をした場合は簡単に着脱ができる。
【００４５】
請求項１〜請求項１３までに係る考案の接続部の構造は全て同じであり、着脱の方法も全て同じ動作となる。プラスチックや金属など、形状や部位や用途に合わせて使い分ければよいだろう。
【実施例２】
【００４６】
［図６］は、請求項４に係る考案の、環付き浮き用着脱式ホルダーの立体図である。請求項１に係る考案の接続具１を備えてなる。環付き浮きを接続するスナップ１１やスナップスイベルなどの金具類を取り付けるための孔１２を備える。
【００４７】
どんな形状でもパイプ状空間５の内径が、釣り糸７の太さより大きく浮き止めゴム９の大きさより小さければ浮き止めゴム９の挿通を規制できる。図ではパイプ状に丸めたときに差し込み先端４以外の浮き止めゴム接触部６の長さが同じになるような形状にしてある。浮き止めゴム接触部６が浮き止めゴム９に均等に接触するようにした。
【実施例３】
【００４８】
［図７］は、請求項４に係る考案の、環付き浮き用着脱式ホルダーである。リング状からなる着脱式接続具に環付き浮きを接続するスナップ１１を取り付けたものである。釣り糸７が挿通されるパイプ状空間５の内径は、釣り糸７が余裕を持って上下動出来るものであり、シモリ玉１０より小さくシモリ玉１０の挿通を規制するように形成される。
【００４９】
釣り糸の太さ（号数）によって、環付き浮き用着脱具のパイプ状部の太さにバリエーションを増やすことで対応できる。浮力やタイプの変更が簡単迅速にできる。
【実施例４】
【００５０】
［図８］は請求項５に係る考案の着脱式浮きである。浮き本体内部に請求項１に係る考案の接続構造１を備えてなる。
【実施例５】
【００５１】
また［図９］は請求項６に係る考案の着脱式浮きである。外周部に請求項３に係る考案の接続具１を備えてなる。
【００５２】
これらの浮きは、釣り糸７が挿通されるパイプ状空間５の内径が、釣り糸７が余裕を持って上下動出来るものであり、浮き止めゴム９やシモリ玉１０より小さく浮き止めゴム９やシモリ玉１０の挿通を規制するように形成される。
【００５３】
この着脱式浮きを使うことにより、釣り糸を切断することなく簡単迅速に浮力やタイプの違う浮きに交換が出来るのである。さらに、従来の環付き浮きのように接続金具を使用しないため釣り糸が絡むことがない。
【実施例６】
【００５４】
［図１０］は請求項７に係る考案の、釣り糸用着脱式集魚板である。本体内部に請求項２に係る考案の接続具１を備えてなる。リング状の接続具を取り付けても同様であるが、コスト面を考慮すれば一枚の板状で形成される方が良いと思われる。
【００５５】
釣り糸に固定されたビーズや金具などの間に使用する。釣り糸を切断することなく着脱できる。スナップスイベルなどの接続金具を使用しないため釣り糸が絡むことがない。蛍光色や夜行性・反射板・小魚模様・目玉模様などその場の状況及び対象魚によって簡単迅速に交換できるのである。
【実施例７】
【００５６】
［図１１］は請求項８に係る考案の、釣り糸用着脱式釣り針付き集魚板である。請求項７に係る考案の、釣り糸用着脱式集魚板にハリス止着用の孔１５と釣り針１６を備えたものである。
【００５７】
釣り糸に固定されたビーズや金具などの間に使用する。釣り糸を切断することなく着脱できる。スナップスイベルなどの金具を使用しないため釣り糸が絡むこともない。蛍光色や夜行性・反射板・小魚模様・目玉模様などその場の状況及び対象魚によって簡単迅速に交換できるのである。
【実施例８】
【００５８】
［図１２］は請求項９に係る考案の、着脱式天秤の板状のもので遊動式として使用している。
【００５９】
［図１３］は請求項９に係る考案の、着脱式天秤の針金製のもので遊動式として使用している。
【００６０】
［図１４］は請求項９に係る考案の、着脱式天秤の錘と天秤が一体になったもので遊動式として使用している。
【００６１】
全て、釣り糸７の挿通された状態である。請求項１に係る考案の、接続構造１を複数箇所に備えることで、天秤として使用できる。遊動式・固定式どちらにも使用できる。
【００６２】
板状の天秤には錘１７をスナップスイベル１３で止着するための孔１２を設けスナップスイベル１３で錘１７を取り付けた。針金製の天秤には錘１７用の接続金具１９を取り付けた。錘と一体型のものは、投げ釣りで使用されるものに接続構造を備えたものである。
【００６３】
接続具が板状の天秤もリング状の天秤も、竿からの釣り糸及び仕掛け糸をチチワ結びにして取り付けると固定式天秤となる。従来通り接続部にスナップスイベルなどの接続金具を使って取り付けても良い。板状の天秤の場合は接続部の孔の形状にもよるが、スナップスイベル取り付け用の孔を備えても良いだろう。
【００６４】
［図１５］は請求項９に係る考案の、着脱式天秤の板状のものを固定式として使用した場合の接続部の状態を示した図である。
【００６５】
スナップスイベル取り付け用の孔１２を備えており、スナップスイベルなどの接続金具も使用できる。接続金具を使用しない場合は、釣り糸７の先端をチチワ結び１８にしておくことで接続部１に簡単迅速に着脱出来る。
【００６６】
竿からの釣り糸側にはねじれを防ぐためにスナップスイベルを使用しても良いだろう。また、チチワ結びにした仕掛け糸側は、仕掛け糸の方向を一定に保つように、スナップスイベル取り付け用の孔１２をくぐらせてから取り付けることで、仕掛け糸の方向を安定させることができる。板の一部をパイプ状にして方向維持ガイドなどを設けても良いだろう。
【００６７】
どの天秤も、長さ・幅・カラーなどの天秤の種類を豊富にすることで、魚の食いつきが渋い時など、釣り糸を切断することなく、違うタイプの天秤に簡単に交換できる。
【実施例９】
【００６８】
［図１６］は請求項１０に係る考案の、釣り糸用着脱式ケミホタル［登録商標］ホルダーである。
【００６９】
請求項２に係る考案の接続具１を備え、弾性のある素材を用い突起部を減らし釣り糸の絡みを軽減する形状になっている。パイプ状空間５の内径がケミホタル［登録商標］１４の外周径よりわずかに小さく整形される。
【００７０】
釣り糸７を挿通させたパイプ状空間５に、ケミホタル［登録商標］１４を差し込むことでパイプの弾性による圧力で、釣り糸７に対する遊動性を抑えて密着固定させる。釣り糸７から取り外す時は先にケミホタル［登録商標］１４を抜き取ってから、釣り糸７から取り外す。これにより、釣り糸を切断してケミホタル［登録商標］に付属のチューブを取り付ける必要もなく、粘着テープで貼り付けて取り外すのに苦労することも、ハーフパイプで取り付けて釣り糸から外れる心配も無くなる。
【実施例１０】
【００７１】
［図１７］は請求項１１に係る考案の、着脱式ルアーである。請求項３に係る考案の接続具１を備えてなる。
【００７２】
ハードルアーである。ルアーにはこの他にも種類があるが、要するに釣り糸に止着するためのリングを、請求項３に係る考案の接続具１に取り替える事で着脱式ルアーとなる。ルアーを取り付ける釣り糸７の先端をチチワ結び１８に結んでおくことで遊動式としてではなく固定式の止着部として使用できるのである。また、スナップスイベルなどの接続金具で取り付けても良いだろう。
【実施例１１】
【００７３】
［図１８］a・bは請求項１２に係る考案の着脱式ルアーである。本体内部に請求項１に係る考案の接続構造１を備えてなる。
【００７４】
ルアーを取り付ける釣り糸の先端をチチワ結びに結んでおくことで遊動式としてではなく固定式の止着部として使用できるのである。
【実施例１２】
【００７５】
［図１９］は請求項１３に係る考案の、着脱式錘である。請求項３に係る考案の接続具を備えてなる。
【００７６】
錘のリング部を請求項３に係る考案の接続具１に変えたものである。このまま仕掛け糸に取り付けるだけで、遊動式仕掛けにすることができる。スナップスイベルなどの金具類もないので絡みにくく、天秤も使わないので非常にシンプルな遊動式仕掛けができる。また、釣り糸をチチワ結びにして取り付けたりスナップスイベルなどの接続金具で取り付けることで固定式となる。錘のサイズやタイプ・カラーも、着脱自在で簡単迅速に取り替えることができる。
【産業上の利用可能性】
【００７７】
本考案は釣り糸を切断せずに数種類の釣具の着脱を可能にしており需要が期待される。
【図面の簡単な説明】
【００７８】
【図１】は請求項２の考案を示した立体図である。
【図２】は請求項３の考案を示した立体図である。
【図３】は請求項２の考案の、釣り糸挿通方法をa・b・cの順に示した図である。
【図４】は請求項３の考案の、釣り糸挿通方法をa・b・cの順に示した図である。
【図５】は請求項１の考案の、釣り糸挿通方法をa・b・cの順に示した図である。
【図６】は請求項４の考案の、実施例を示す立体図である。
【図７】は請求項４の考案の、リングからなる着脱式ホルダーの実施例を示す立体図である。
【図８】は請求項５の考案の、実施例を示す立体図である。
【図９】は請求項６の考案の、実施例を示す立体図である。
【図１０】は請求項７の考案の立体図である。
【図１１】は請求項８の考案の立体図である。
【図１２】は請求項９の考案の、実施例を示す立体図である。
【図１３】は請求項９の考案の、実施例を示す立体図である。
【図１４】は請求項９の考案の、実施例を示す立体図である。
【図１５】は請求項９の考案の、実施例を示す立体図である。
【図１６】は請求項１０の考案の、実施例を示す立体図である。
【図１７】は請求項１１の考案の、実施例を示す立体図である。
【図１８】は請求項１２の考案を示した立体図である。
【図１９】は請求項１３に記載の考案を示す立体図である。
【符号の説明】
【００７９】
１      接続具及び接続構造
２      孔
３      パイプ状部外側
４      差込先端
５      パイプ状空間
６      浮き止めゴム接触部
７      釣り糸
８      釣り糸先端
９      浮き止めゴム
１０    シモリ玉
１１    スナップ
１２    スナップ類取り付け用の孔
１３    スナップスイベル
１４    ケミホタル［商標登録］
１５    ハリス止着用の孔
１６    釣り針
１７    錘
１８    チチワ結び
１９    接続金具
【図１】
0003147677.tif 000003
【図２】
0003147677.tif 000004
【図３】
0003147677.tif 000005
【図４】
0003147677.tif 000006
【図５】
0003147677.tif 000007
【図６】
0003147677.tif 000008
【図７】
0003147677.tif 000009
【図８】
0003147677.tif 000010
【図９】
0003147677.tif 000011
【図１０】
0003147677.tif 000012
【図１１】
0003147677.tif 000013
【図１２】
0003147677.tif 000014
【図１３】
0003147677.tif 000015
【図１４】
0003147677.tif 000016
【図１５】
0003147677.tif 000017
【図１６】
0003147677.tif 000018
【図１７】
0003147677.tif 000019
【図１８】
0003147677.tif 000020
【図１９】
0003147677.tif 000021